【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
印刷媒体に形成されている画像を読み取る読取手段と、
前記読み取られた画像から読取画像データを生成する読取画像データ生成手段と、
ディジタル画像データと前記ディジタル画像データの印刷履歴情報とが関連付けて記憶されている記憶手段と、
前記印刷履歴情報を用いて、前記記憶手段に記憶されている前記ディジタル画像データのなかから、前記読取画像データに対応するディジタル画像データを検索する検索手段と、
前記読取画像データに対応するディジタル画像データを用いて印刷媒体に画像を出力する出力手段と、
前記印刷に関わる条件を用いて、前記読取画像データに対応するディジタル画像データに関連付けられている印刷履歴情報を更新する印刷履歴情報更新手段とを備える画像出力装置。
【請求項２】
請求項１に記載の画像出力装置において、
前記印刷に関わる条件は、前記印刷に用いられた印刷媒体のサイズ、前記印刷に用いられた印刷媒体の種類、前記印刷が実行された印刷日時、前記印刷により出力された印刷媒体の枚数、のうち少なくともいずれかを含む画像出力装置。
【請求項３】
請求項１または請求項２に記載の画像出力装置において、
前記印刷履歴情報には、印刷済みであること、または印刷済みでないことを示す情報が少なくとも含まれており、
前記検索手段は、前記記憶手段に記憶されている前記ディジタル画像データのうち、前記印刷済みであることを示す情報を含む前記印刷履歴情報と関連付けられているディジタル画像データのなかから前記読取画像データに対応するディジタル画像データを検索する画像出力装置。
【請求項４】
請求項１ないし請求項３のいずれかに記載の画像出力装置において、
前記印刷履歴情報には、印刷時に用いられた出力画像サイズの情報が少なくとも含まれており、
前記検索手段は、前記読み取られた画像のサイズを求め、前記記憶手段に記憶されている前記ディジタル画像データのうち、前記読み取られた画像のサイズと同一の出力画像サイズを示す情報を含む前記印刷履歴情報と関連付けられているディジタル画像データのなかから前記読取画像データに対応するディジタル画像データを検索する画像出力装置。
【請求項５】
請求項３または請求項４に記載の画像出力装置において、
前記検索手段は、前記読取画像データの第１の特徴量および前記記憶手段に記憶されている前記ディジタル画像データの第１の特徴量を求め、前記記憶手段に記憶されている前記ディジタル画像データのうち、前記読取画像データの第１の特徴量と同一または類似する第１の特徴量を有するディジタル画像データを、前記読取画像データに対応するディジタル画像データとして検索する画像出力装置。
【請求項６】
請求項３または請求項４に記載の画像出力装置において、
前記印刷履歴情報には、前記印刷履歴情報と関連付けられているディジタル画像データの第１の特徴量が含まれており、
前記検索手段は、前記読取画像データの第１の特徴量を求め、前記記憶手段に記憶されている前記ディジタル画像データの第１の特徴量を前記印刷履歴情報から取得し、前記記憶手段に記憶されている前記ディジタル画像データのうち、前記読取画像データの第１の特徴量と同一または類似する第１の特徴量を有するディジタル画像データを、前記読取画像データに対応するディジタル画像データとして検索する画像出力装置。
【請求項７】
請求項５または請求項６に記載の画像出力装置において、
前記第１の特徴量は、前記読取画像データ若しくは前記ディジタル画像データの統計値および画像のパターンの少なくともいずれかを含む画像出力装置。
【請求項８】
請求項５または請求項６に記載の画像出力装置において、
前記検索手段により、前記読取画像データに対応する複数のディジタル画像データが検索された場合には、
前記出力手段は、前記読取画像データに対応する複数のディジタル画像データを用いて１または複数の印刷媒体に画像を出力する画像出力装置。
【請求項９】
請求項５または請求項６に記載の画像出力装置において、
前記検索手段は、前記読取画像データに対応する複数のディジタル画像データが検索された場合には、前記読取画像データに対応する複数のディジタル画像データの第２の特  徴量を抽出し、前記読取画像データに対応する複数のディジタル画像データの第２の特徴量と、前記読取画像データの第２の特徴量とを用いて、前記読取画像データに対応する複数のディジタル画像データのなかから前記出力手段で用いるディジタル画像データを決定する画像出力装置。
【請求項１０】
請求項５または請求項６に記載の画像出力装置は、
画像および印刷履歴情報を表示する表示手段と、
前記表示手段に表示されている画像を選択させる選択手段とを備え、
前記検索手段は、前記読取画像データに対応する複数のディジタル画像データが検索された場合には、前記表示手段に前記読取画像データに対応する複数のディジタル画像データが表す画像をそれぞれ表示させ、
前記出力手段は、前記表示手段に表示されている複数の画像のなかから前記選択手段を介して選択された画像を表すディジタル画像データを用いて印刷媒体に画像を出力する画像出力装置。
【請求項１１】
印刷媒体に形成されている画像を一意に識別する識別情報と、前記画像とを印刷媒体に印刷する画像出力装置であって、
印刷媒体に形成されている前記画像および前記識別情報を読み取る読取手段と、
前記読み取られた画像から読取画像データを生成する読取画像データ生成手段と、
ディジタル画像データと前記識別情報とが関連付けて記憶されている記憶手段と、
前記識別情報を用いて、前記記憶手段に記憶されている前記ディジタル画像データのなかから、前記読取画像データに対応するディジタル画像データを検索する検索手段と、
前記読取画像データに対応するディジタル画像データを用いて印刷媒体に画像を出力する出力手段とを備える画像出力装置。
【請求項１２】
請求項１１に記載の画像出力装置において、
前記識別情報は、前記画像が形成されている前記印刷媒体の第１の面に形成されているか、または前記第１の面の裏面に形成されている画像出力装置。
【請求項１３】
画像出力装置における印刷媒体への画像出力方法であって、
印刷媒体に形成されている画像を読み取り、
前記読み取られた画像から読取画像データを生成し、
ディジタル画像データと前記ディジタル画像データの印刷履歴情報とが関連付けて記憶されている記憶手段から、前記印刷履歴情報を用いて前記読取画像データに対応するディジタル画像データを検索し、
前記読取画像データに対応するディジタル画像データを用いて印刷媒体に画像を出力し、
前記印刷に関わる条件を用いて前記読取画像データに対応するディジタル画像データに関連付けられている印刷履歴情報を更新する画像出力方法。
【請求項１４】
印刷媒体に形成されている画像を一意に識別する識別情報と、前記画像とを印刷媒体に印刷する画像出力装置における画像出力方法であって、
印刷媒体に形成されている前記画像および前記識別情報を読み取り、
前記読み取られた画像から読取画像データを生成し、
ディジタル画像データと前記識別情報とが関連付けて記憶されている記憶手段から、前記識別情報を用いて、前記読取画像データに対応するディジタル画像データを検索し、
前記読取画像データに対応するディジタル画像データを用いて印刷媒体に画像を出力する画像出力方法。
【手続補正２】
【補正対象書類名】明細書
【補正対象項目名】発明の名称
【補正方法】変更
【補正の内容】
【発明の名称】画像出力装置および画像出力方法
【手続補正３】
【補正対象書類名】明細書
【補正対象項目名】００９４
【補正方法】変更
【補正の内容】
【００９４】
（７）上記各実施例における画像データの格納処理では、メモリカードＭＣに格納されている全ての画像データがＨＤＤ２３へと転送され、保存されているが、印刷に用いられた画像データのみを保存するようにしても良い。あるいは、印刷に用いられた画像データのみをＨＤＤ２３に転送するようにしても良い。具体的には、前者の場合には、メモリカードＭＣに格納されている全ての画像データを一旦、ＨＤＤ２３に保持し、印刷に用いられた画像データから印刷履歴情報と関連付けてＨＤＤ２３に格納し、残りの画像データについては、電源がオフされるタイミングにてＨＤＤ２３から消去すれば良い。なお、電源はソフトスイッチであることが望まれる。後者の場合には、メモリカードＭＣ上において印刷対象となる画像データの選択が実行され、選択された画像データについてのみ、ＨＤＤ２３への転送、印刷履歴情報との関連付けを実行すればよい。かかる場合には、ＨＤＤ２３には、印刷済みの画像データのみが格納されることとなり、再印刷の対象となる画像データの検索をより効率的に実行することができる。